(57)【要約】【課題】構造が簡単であるともに、集塵室に溜まった塵埃量を確認でき、さらに、不使用時の収納状態などで集塵室に溜まった塵埃が見ず、美観上好ましい電気掃除機を提供する。【解決手段】本電気掃除機は、含塵空気から塵埃離手段により塵埃を分離し、この分離された塵埃を集塵室に集塵し、この集塵室内を視認可能にする透視部を設けられるとともに、使用時に透視部を介して前記集塵室内を視認可能状態にし、不使用時に透視部を介して集塵室内を視認不可能状態にする遮蔽手段を設ける。【選択図】  図２
2010125102.tif 000002
【特許請求の範囲】
【請求項１】
電動送風機を回転させて発生させた負圧の作用により、吸込口体を介して吸込まれた含塵空気から塵埃分離手段により塵埃を分離し、この分離された塵埃を集塵室に集塵する電気掃除機において、
前記集塵室内を視認可能にする透視部を設けるとともに、
使用時に前記透視部を介して前記集塵室内を視認可能状態にし、不使用時に前記透視部を介して前記集塵室内を視認不可能状態にする遮蔽手段を設けることを特徴とする電気掃除機。
【請求項２】
前記集塵室に所定量以上の塵埃が溜まったことを検出する検知手段を設け、この検知手段が前記集塵室に所定量以上の塵埃が溜まったことを検出した場合に、
前記遮蔽手段を視認可能状態と視認不可能状態を連続して、繰り返すことを特徴とする請求項１に記載の電気掃除機。
【発明の詳細な説明】
【技術分野】
【０００１】
本発明は電気掃除機に係り、特に使用時に集塵室内を視認可能にし、不使用時に視認不可能にする遮蔽手段を備えた電気掃除機に関する。
【背景技術】
【０００２】
一般に電気掃除機は、掃除を継続すると集塵室に除塵された塵埃が溜まり、所定量の塵埃が溜まると、この塵埃を捨てる必要がある。
【０００３】
従来、溜まった塵埃量を把握するために、光学的センサーを設けて塵埃量を検知する方法（例えば、特許文献１参照）、あるいは目視により確認する方式が採られていた。
【０００４】
しかしながら、前者の特許文献１のものは、構造が複雑になり、また、後者の目視により確認する方式のものは、構造が簡単で安価であるが、不使用時の収納状態などで集塵室に溜まった塵埃が見えてしまい、美観上好ましくないという問題がある。
【特許文献１】特開２００３−１４４３６３号公報
【発明の開示】
【発明が解決しようとする課題】
【０００５】
本発明は上述した事情を考慮してなされたもので、構造が簡単であるとともに、集塵室に溜まった塵埃量を確認でき、さらに、不使用時の収納状態などで集塵室に溜まった塵埃が見えず、美観上好ましい電気掃除機を提供することを目的とする。
【課題を解決するための手段】
【０００６】
上述した目的を達成するため、本発明に係る電気掃除機は、電動送風機を回転させて発生させた負圧の作用により、吸込口体を介して吸込まれた含塵空気から塵埃分離手段により塵埃を分離し、この分離された塵埃を集塵室に集塵する電気掃除機において、前記集塵室内を視認可能にする透視部を設けるとともに、使用時に前記透視部を介して前記集塵室内を視認可能状態にし、不使用時に前記透視部を介して前記集塵室内を視認不可能状態にする遮蔽手段を設けることを特徴とする。
【発明の効果】
【０００７】
本発明の電気掃除機によれば、本発明は上述した事情を考慮してなされたもので、構造が簡単であるとともに、集塵室に溜まった塵埃量を確認でき、さらに、不使用時の収納状態などで集塵室に溜まった塵埃が見えず、美観上好ましい電気掃除機を提供することができる。
【発明を実施するための最良の形態】
【０００８】
本発明の第１実施形態に係るアップライト型電気掃除機について図面を参照して説明する。
【０００９】
図１は本発明の第１実施形態に係るアップライト型電気掃除機の正面側の斜視図であり、図２は本発明の第１実施形態に係る電気掃除機の側面を示す概念図である。
【００１０】
図１および図２に示すように、本発明の第１実施形態に係るアップライト型電気掃除機１は、掃除機本体２を備える。
【００１１】
この掃除機本体２は細長筒状の不透明部材からなる本体ケース３を備え、この本体ケース３は前ケース４と後ケース５を有する。前ケース４の上端部には上方に開口するパイプ嵌合穴４ａが形成され、前ケース４の上下方向の中間部には前側及び側方に開放する容器収納凹部６が形成される。
【００１２】
この容器収納凹部６は、本体ケース３と同一材質からなる取付板７によって、開閉される。
【００１３】
取付板７には、集塵装置８が取付けられ、この集塵装置８は容器収納凹部６に着脱可能に装着される。
【００１４】
集塵装置８は含塵空気を吸込む吸込口８ａと、除塵された空気を吹出す吹出口８ｂを備える。
【００１５】
集塵装置８の上方に電動送風機９が設けられ、この電動送風機９は送風機吸込口９ａおよび送風機吹出口９ｂを備え、送風機吸込口９ａは集塵装置８の吹出口８ｂに連通し、送風機吹出口９ｂは本体ケース３内に開放される。
【００１６】
また、本体ケース３内には、上下に延びる吸込パイプ１０が配設される。
【００１７】
この吸込パイプ１０は、下吸込パイプ部１１と、上吸込パイプ部１２を有する。この下吸込パイプ部１１は、前後に延びる前後パイプ部１１ａと、この前後パイプ部１１ａの後端から下方に向けて折曲された縦パイプ部１１ｂを有する。
【００１８】
この前後パイプ部１１ａの前端は、容器収納凹部６に集塵装置８を装着したときに、この集塵装置８の吸込口８ａに連通する。
【００１９】
さらに、縦パイプ部１１ｂの下端部は、本体ケース３の下端部に固定されていると共に、本体ケース３の下端に開口させられている。さらに、上吸込パイプ部１２の下端部は前後パイプ部１１ａの前端部近傍に接続される。
【００２０】
また、本体ケース３の下方には、吸込口体１４が配設されている。この吸込口体１４は、吸込口本体１５と、吸込口本体１５の後縁部に前後に起倒自在に装着された接続パイプ１６を有する。
【００２１】
この接続パイプ１６は縦パイプ部１１ｂの下端部に着脱可能に嵌合接続されている。
【００２２】
しかも、吸込口本体１５内には吸込室１７が形成され、この吸込室１７の吸込開口１７ａが吸込口本体１５の下面に開口している。吸込室１７は吸込風路１８を介して接続パイプ１６に連通される。
【００２３】
また、接続パイプ１６の下端部には、シャッター１９が一体に取り付けられている。このシャッター１９は、接続パイプ１６を後方に傾斜させたときに吸込風路１８と接続パイプ１６を連通させ、接続パイプ１６を起立させたときに吸込風路１８と接続パイプ１６との連通を遮断するようになっている。
【００２４】
さらに、上吸込パイプ部１２には集塵ホース２０の一端部が接続される。この集塵ホース２０の他端部には、ハンドル２１ａを設けた手元操作パイプ２１が手元操作部として接続固定され、この手元操作パイプ２１には伸縮可能な延長パイプ２２が取り付けられる。この延長パイプ２２は、大径吸込パイプ２３と、この大径吸込パイプ２３に設けたロック解除ボタン２４の解除により、適宜伸縮自在な小径吸込パイプ２５を有する。
【００２５】
大径吸込パイプ２３は、大径パイプ部２３ａと、この大径パイプ部２３ａの一端部２３ａ１とは反対側の他端部２３ａ２に連設された小径パイプ部２３ｂを有する。この小径パイプ部２３ｂを手元操作パイプ２１に着脱可能に嵌着することにより、大径吸込パイプ２３は手元操作パイプ２１に取り付けられる。小径吸込パイプ２５にはスキマノズル２６が着脱自在に設けられる。
【００２６】
また、手元操作パイプ２１と延長パイプ２２間には、手元操作パイプ２１に取付けられて手元ブラシ２７が設けられる。
【００２７】
図３は本発明の第１実施形態に係る電気掃除機の背面側の斜視図である。
【００２８】
図３に示すように、後ケース５の背面には、本発明の平面部をなし、電源プラグ３０を備えたコード３１を巻き取るコードリール３２（図２）を収容する略円形平面状のコードリール収容部３３が膨出して設けられ、さらに、コードリール収容部３３に同じ高さで連設され、略直方体形状の縦パイプ部１１ｂ（図２）を収容するパイプ収容部３４が膨出して設けられる。また、吸込口体１４の下面には車輪３５が設けられる。
【００２９】
さらに、コードリール収容部３３の上側側面にはコード巻き取りボタン３６が設けられ、パイプ収容部３４の下側には吸込口体着脱ボタン３７が設けられる。
【００３０】
コード巻き取りボタン３６を押すことで、スプリングコイル（図示せず）によって常時コード３１を巻き取る方向に回転するように付勢されたコードリール３２を回転させる。
【００３１】
また、前ケース４と後ケース５の合わせ目部分には、図１に示すように、本体スイッチ３８が設けられ、さらに、前ケース４の上面には、延長管着脱ボタン３９が設けられる。
【００３２】
また、後ケース５の背面には、コード引出孔４０に近接して、プラグ収容部４１が設けられ、このプラグ収容部４１の下方には排気孔４２が設けられ、さらに、コードリール収容部３３の上方には、掃除機本体２の移動用の把手４３が設けられる。
【００３３】
図４は集塵装置８を分解して示す斜視図であり、図５は集塵装置８の縦断面図である。
【００３４】
図４および図５に示すように、この集塵装置８は、第１塵埃除去手段８１と第２集塵除去手段８２からなる塵埃分離手段を備える。
【００３５】
第１塵埃除去手段８１は、高速で流れる空気中に含まれる塵埃を重力差で分離する高速分離方式を採用し、ネットフィルタ８３を備えた円筒格子状の塵埃分離手段８４と、この塵埃分離手段８４が内装される先細い円筒形状の集塵室８５を有する。
【００３６】
この集塵室８５に設けた吸込口８ａに対向する位置には、含塵空気を旋回させる旋回風構成体８７が設けられ、旋回された含塵空気は、ネットフィルタ８３で除塵され、吹出口８ｂから吹出すように構成される。
【００３７】
集塵室８５全体は、透明（透光性）部材で形成され、集塵室８５外から内部を視認可能であり、除塵動作および集塵室８５に溜まる除塵量を視認できる。
【００３８】
第２塵埃除去手段８２は、第１塵埃除去手段８１に一体的に組み込まれる円板形状の細塵除去フィルタからなり、吹出口８ｂから吹出された細塵を含む空気の細塵を除塵する。
【００３９】
再び図１、図２および図６に示すように、本体ケース３に着脱自在に設けられる取付板７は、集塵装置８の集塵室８５に対向する一部に、透明部７ａとしての透視窓が設けられる。
【００４０】
さらに、この透明部７ａの裏面には遮蔽手段４４が設けられる。
【００４１】
この遮蔽手段４４は、例えば液晶光シャッターからなる。液晶光シャッターは、リマー分散液晶（ＰＤＬＣ：Ｐｏｌｙｍｅｒ  Ｄｉｓｐｅｒｓｅｄ  Ｌｉｑｕｉｄ  Ｃｒｙｓｔａｌ）膜を透明電極付きガラス基板で挟み込んだ構造をもち、光を散乱するＰＤＬＣ膜は、厚さ１５ミクロン程のポリマー（透明樹脂）膜の中に直径１〜２ミクロンの粒状の液晶小滴が分散したポリマー分散液晶（ＰＤＬＣ：Ｐｏｌｙｍｅｒ  Ｄｉｓｐｅｒｓｅｄ  Ｌｉｑｕｉｄ  Ｃｒｙｓｔａｌ）である。
【００４２】
厚み方向に加える交流電圧の大きさを変えることにより、液晶小滴内の液晶分子の向きをコントロールし、ＰＤＬＣの透明度（散乱度）を変えることができる。
【００４３】
電圧を与えない場合は、小滴内の液晶分子はランダムな方向を向いており、このとき、光は液晶小滴とポリマーの界面の屈折率差によって散乱される。
【００４４】
一方、十分大きい電圧が加えられた場合は、小滴内の液晶分子は厚み方向にきちんと並ぶため、液晶小滴とポリマーの屈折率差がなくなり、光は散乱せずに透過する。
【００４５】
いずれも図示しない、電源回路には、遮蔽手段４４を駆動する駆動回路が設けられ、この駆動回路と遮蔽手段４４は、取付板７に設け接触式の接続端子と、本体ケース３に設けた接触式の接続端子を介して電気的に分離可能に接続される。
【００４６】
そして、電源プラグ３０（図３）が商用電源コンセントに接続されない状態では、電源回路、駆動回路に通電されず、遮蔽手段４４にも電圧が印加されず、光は散乱されて透過せず、取付板７に一体的に設けられた集塵室８５内を透明部７ａを通して視認することができない状態（不透明）になる。
【００４７】
一方、電源プラグ３０が商用電源コンセントに接続され、電源回路に通電されると、駆動回路を介して遮蔽手段４４に電圧が印加されて、光は透過し、取付板７に一体的に設けられた集塵室８５内を、透明部７ａを通して視認できる状態（透明）になる。
【００４８】
次に、本実施形態のアップライト型電気掃除機の使用方法について説明する。
【００４９】
例えば、床面を掃除する場合、図１〜図３に示すように、コードリール３２からコード３１を引き出し、電源プラグ３０を電源コンセントに挿す。
【００５０】
アップライト型電気掃除機１に通電されると、駆動回路を介して遮蔽手段４４に電圧が印加されて、光は透過し、取付板７に一体的に設けられた集塵室８５内を、透明部７ａを通して視認できる状態（透明）になる。
【００５１】
ロック解除ボタン２４を解除して、小径吸込パイプ２５を伸縮して、ハンドル２１ａを所望の高さに調整する。
【００５２】
しかる後、本体スイッチ３８をオンにし、電動送風機９を回転させて負圧を生じさせる。
【００５３】
その後、ハンドル２１ａを持って、掃除機本体２を僅かに後方に倒す。
【００５４】
掃除機本体２を後方に倒すことで、吸込口体１４の吸込風路１８に設けたシャッター１９が吸込風路１８を開放する。
【００５５】
このシャッター１９の開放により、第２塵埃除去手段８２である細塵除去フィルタ、ネットフィルタ８３、集塵室８５、前後パイプ部１１ａ、縦パイプ部１１ｂ、接続パイプ１６、床に面した吸込口体１４の吸込風路１８および吸込室１７を介して吸込開口１７ａに負圧が生じる。
【００５６】
ハンドル２１ａを前進あるいは前後させることで、吸込口体１４を前進あるいは前後させて、床面に溜まった塵埃は、空気とともに吸込開口１７ａから、上記負圧の作用とは逆の流路で、集塵室８５に吸込まれ、旋回風構成体８７により含塵空気が旋回され、旋回された含塵空気は、ネットフィルタ８３で除塵される。
【００５７】
除塵された空気は、さらに、吹出口８ｂを介して第２塵埃除去手段（細塵除去フィルタ）８２を通過して、細塵が除塵され、電動送風機９を介して、排気孔４２から本体ケース３外に排出される。
【００５８】
このような除塵過程において、図６に示すように、遮蔽手段４４に電圧が印加されて、光は透過し、取付板７に一体的に設けられた集塵室８５内を、透明部７ａを通して視認できる状態（透明）にあり、集塵室８５での除塵作用を観察することができ、さらに、集塵室８５に溜まった塵埃量を視認することができ、タイムリーな塵埃捨てができる。
【００５９】
遮蔽手段４４を設けるだけで、除塵作用および集塵室８５に溜まった塵埃量を確認できるので、光学的センサーを設ける従来と異なり構造が簡単である。
【００６０】
一方、家具の隙間などを掃除する場合、同様に図１〜図３に示すように、コードリール３２からコード３１を引き出し、電源プラグ３０を電源コンセントに挿す。
【００６１】
アップライト型電気掃除機１を自立した状態に保つ。このアップライト型電気掃除機１の自立状態では、吸込口体１４の吸込風路１８に設けたシャッター１９は、吸込風路１８を閉止する。
【００６２】
スキマノズル２６が取付けられた小径吸込パイプ２５を掃除機本体２から外す。
【００６３】
しかる後、本体スイッチ３８をオンにし、電動送風機９を回転させて負圧を生じさせる。
【００６４】
第２塵埃除去手段（細塵除去フィルタ）８２、ネットフィルタ８３、集塵室８５、集塵ホース２０、手元操作パイプ２１、大径吸込パイプ２３および小径吸込パイプ２５を介して、スキマノズル２６が負圧になる。
【００６５】
この負圧を利用して上記同様に掃除を行う。
【００６６】
掃除終了後、アップライト型電気掃除機１は、図７に示すように、電源プラグ３０（図３）を電源コンセントから外し、部屋の隅などに寄せ、壁に掃除機本体２の背面に設けた略円形平面状のコードリール収容部３３が接する状態で、アップライト型電気掃除機１を自立させ、あるいは壁に立てかけた状態で収納する。
【００６７】
このとき、遮蔽手段４４に電圧が印加されないので、光は散乱して透過せず、集塵室８５に溜まった塵埃を、透明部７ａを通して視認できない状態（不透明）にあり、美観上優れる。
【００６８】
本第１実施形態の電気掃除機によれば、構造が簡単であるとともに、集塵室に溜まった塵埃量を確認でき、さらに、不使用時の収納状態などで集塵室に溜まった塵埃が見えず、美観上好ましい電気掃除機が実現する。
【００６９】
また、本発明の第２実施形態に係るアップライト型電気掃除機について説明する。
【００７０】
本第２実施形態は、第１実施形態が集塵装置に高速分離方式を用いるのに対して、除塵フィルタを用いる。
【００７１】
例えば、図８に示すように、第２実施形態の電気掃除機１Ａの集塵装置８Ａが取付けられる取付板７には、透明部材からなる集塵室である集塵容器８５内に、ネットフィルタ８３、細塵除去フィルタ８２が設けられる。
【００７２】
また、取付板７にはネットフィルタ８３に対向する位置に透明部７ａとしての透視窓が設けられる。透明部７ａの裏面には、遮蔽手段４４が設けられる。
【００７３】
従って、除塵過程において、遮蔽手段４４に電圧が印加されて、光は透過し、集塵容器８５内を、透明部７ａを通して視認できる状態（透明）にあり、ネットフィルタ８３による除塵状態およびネットフィルタ８３上に溜まった塵埃量を視認することができる。
【００７４】
不使用時は、遮蔽手段４４に電圧が印加されないので、光は散乱して透過せず、集塵容器８５に溜まった塵埃を透明部７ａを通して視認できない状態（不透明）にあり、美観上優れる。
【００７５】
なお、他の構成は図２に示す電気掃除機と異ならないので、同一符号を付して説明は省略する。
【００７６】
本第２実施形態の電気掃除機によれば、構造が簡単であるとともに、集塵室に溜まった塵埃量を確認でき、さらに、不使用時の収納状態などで集塵室に溜まった塵埃が見えず、美観上好ましい電気掃除機が実現する。
【００７７】
また、本発明の第３実施形態に係るアップライト型電気掃除機について説明する。
【００７８】
本第３実施形態は、第２実施形態がアップライト型であるのに対して、キャニスター型である。
【００７９】
例えば、図９および図１０に示すように、第３実施形態の電気掃除機１Ｂは、キャニスター型であり、蓋部材（図示省略）を備えた本体ケース３には、集塵ユニット８Ｂが着脱自在に収容され、この集塵ユニット８Ｂは第１塵埃除去手段８１と、この第１塵埃除去手段８１の下流に位置する第２塵埃除去手段としてのプリーツフィルタ（図示省略）を備える。
【００８０】
第１塵埃除去手段８１は、高速分離方式が採用され、塵埃分離部９１を備え、この塵埃分離部９１には、分離室９２と、この分離室９２の軸線に沿って設けられた円錐形状の塵埃分離手段８４が設けられる。
【００８１】
さらに、分離室９２には、円弧状の案内通風路（図示省略）を介して、集塵ホースが連通する入口開口２ａが連通し、さらに、分離室９２に略Ｌ字形状の案内風路９３を介して連通して集塵室８５が設けられる。
【００８２】
この集塵室８５の外側（図中右側）には、開口８５ａが設けられ、この開口８５ａは透明部材からなる蓋体９７が軸支される。
【００８３】
なお、塵埃分離手段８４にはネットフィルタ８３、集塵室８５の内側（図中左側）には、フィルタ９５が各々設けられ、分離室９２および集塵室８５は、ネットフィルタ８３およびフィルタ９５を介して、吸込風路部９６に連通され、さらに、この吸込風路部９６は、いずれも図示省略するプリーツフィルタ、電動送風機に連通される。
【００８４】
さらに、本体ケース３には、透明部材からなる蓋体９７に対向する部位の一部には、透明部３ａとしての透視窓が設けられる。この透明部３ａの裏面には、遮蔽手段４４が設けられる。
【００８５】
遮蔽手段４４は駆動回路に電気的に接続される。
【００８６】
従って、除塵過程において、遮蔽手段４４に電圧が印加されて、光は透過し、集塵室８５内を透明部３ａを通して視認できる状態（透明）にあり、集塵室８５内に溜まった塵埃量を視認することができる。
【００８７】
不使用時は、遮蔽手段４４に電圧が印加されないので、光は散乱して透過せず、集塵室８５内に溜まった塵埃を透明部３ａを通して視認できない状態（不透明）にあり、美観上優れる。
【００８８】
本第３実施形態の電気掃除機によれば、構造が簡単であるとともに、集塵室に溜まった塵埃量を確認でき、さらに、不使用時の収納状態などで集塵室に溜まった塵埃が見えず、美観上好ましい電気掃除機が実現する。
【００８９】
また、本発明の第４実施形態に係るアップライト型電気掃除機について説明する。
【００９０】
本第４実施形態は、第３実施形態が蓋体を備えた本体ケースに収容されるのに対して、集塵ユニットが露出状態で本体ケースに取り付けられる。
【００９１】
例えば、図１１に示すように、第４実施形態の電気掃除機１Ｃは、キャニスター型であり、本体部３Ｃには、集塵ユニット８Ｃが着脱自在に取り付けられる。
【００９２】
この集塵ユニット８Ｃは、ユニット本体９８を備える。このユニット本体９８は略全体が不透明部材で形成される。
【００９３】
ユニット本体９８内には塵埃分離部９９と集塵室部８５が設けられる。塵埃分離部９９には高速分離方式が採用され、上下両面が開放された円筒状で比較的大きな塵埃を除塵するネットフィルタ８１と、このネットフィルタ８１の外周を囲繞する細塵除去フィルタ８２を備える。
【００９４】
円筒状のネットフィルタ８１は、細塵除去フィルタ８７、格子部材９６を介して、電動送風機９に連通される。
【００９５】
一方、ユニット本体９８の一部には、透明部９８ａとしての透視窓が設けられる。この透明部９８ａの裏面には、遮蔽手段４４が設けられる。遮蔽手段４４は駆動回路に電気的に接続される。
【００９６】
従って、除塵過程において、遮蔽手段４４に電圧が印加されて、光は透過し、集塵室部８５内を、透明部９８ａを通して視認できる状態（透明）にあり、集塵室部８５内に溜まった塵埃量を視認することができる。
【００９７】
不使用時は、遮蔽手段４４に電圧が印加されないので、光は散乱して透過せず、集塵室部８５内に溜まった塵埃を透明部９８ａを通して視認できない状態（不透明）にあり、美観上優れる。
【００９８】
本第４実施形態の電気掃除機によれば、構造が簡単であるとともに、集塵室に溜まった塵埃量を確認でき、さらに、不使用時の収納状態などで集塵室に溜まった塵埃が見えず、美観上好ましい電気掃除機が実現する。
【００９９】
また、本発明の第５実施形態に係るアップライト型電気掃除機について説明する。
【０１００】
本第５実施形態は、第１実施形態の遮蔽手段を集塵室に所定量以上の塵埃が溜まった場合に、遮蔽手段を視認可能あるいは視認不可能を連続して、繰り返す。
【０１０１】
例えば、図１２に示すように、電源回路１０１に駆動回路１０２を設け、さらに、電動送風機９へ給電線１０３に電流センサー１０４を設ける。
【０１０２】
集塵室に塵埃が溜まり、通風抵抗が増し、電動送風機９の電流が増加すると、電流センサー１０４がこれを検知し、駆動回路１０２を介して、遮蔽手段４４を視認可能あるいは視認不可能を連続して、繰り返すような機能を追加する。なお、符号１０５は接触式の接続端子である。
【０１０３】
遮蔽手段４４を点滅させることにより、塵埃捨てを促すことができる。
【図面の簡単な説明】
【０１０４】
【図１】本発明の第１実施形態のアップライト型電気掃除機の正面側の斜視図。
【図２】本発明の第１実施形態の電気掃除機の側面を示す概念図。
【図３】本発明の一実施形態のアップライト型電気掃除機の背面側の斜視図。
【図４】本発明の第１実施形態の電気掃除機に用いる集塵装置を分解して示す斜視図。
【図５】本発明の第１実施形態に係る電気掃除機に用いる集塵装置の縦断面図。
【図６】本発明の第１実施形態に係る電気掃除機の透視部および遮蔽手段部分を示す側面図。
【図７】本発明の第１実施形態のアップライト型電気掃除機の収納状態を示す斜視図。
【図８】本発明の第２実施形態の電気掃除機の側面を示す概念図。
【図９】本発明の第３実施形態の電気掃除機の集塵ユニットの縦断面図。
【図１０】本発明の第３実施形態の電気掃除機の掃除機本体の斜視図。
【図１１】本発明の第４実施形態の電気掃除機の概念図。
【図１２】本発明の第５実施形態の電気掃除機の電気回路図。
【符号の説明】
【０１０５】
１  アップライト型電気掃除機
２  掃除機本体
３  本体ケース
４  前ケース
４ａ  パイプ嵌合穴
５  後ケース
６  容器収納凹部
７  取付板
７ａ  透明部
８  集塵装置
８ａ  吸込口
８ｂ  吹出口
９  電動送風機
９ａ  送風機吸込口
９ｂ  送風機吹出口
１０  吸込パイプ
１１  下吸込パイプ部
１１ａ  前後パイプ部
１１ｂ  縦パイプ部
１２  上吸込パイプ部
１４  吸込口体
１５  吸込口本体
１６  接続パイプ
１７  吸込室
１７ａ  吸込開口
１８  吸込風路
１９  シャッター
２０  集塵ホース
２１  手元操作パイプ
２１ａ  ハンドル
２２  延長パイプ
２３  大径吸込パイプ
２３ａ  大径パイプ部
２３ａ１  一端部
２３ａ２  他端部
２３ｂ  小径パイプ部
２４  ロック解除ボタン
２５  小径吸込パイプ
２６  スキマノズル
２７  手元ブラシ
３０  電源プラグ
３１  コード
３２  コードリール
３３  コードリール収容部
３３ａ  凹凸
３４  パイプ収容部
３５  車輪
３６  コード巻き取りボタン
３７  吸込口体着脱ボタン
３８  本体スイッチ
３９  延長管着脱ボタン
４０  コード引出孔
４１  プラグ収容部
４２  排気孔
４３  把手
４４  遮蔽手段
８１  第１塵埃除去手段
８２  第２塵埃除去手段
８３  ネットフィルタ
８４  塵埃分離手段
８５  集塵室
８７  旋回風構成体
【図１】
2010125102.tif 000003
【図２】
2010125102.tif 000004
【図３】
2010125102.tif 000005
【図４】
2010125102.tif 000006
【図５】
2010125102.tif 000007
【図６】
2010125102.tif 000008
【図７】
2010125102.tif 000009
【図８】
2010125102.tif 000010
【図９】
2010125102.tif 000011
【図１０】
2010125102.tif 000012
【図１１】
2010125102.tif 000013
【図１２】
2010125102.tif 000014